(57)【特許請求の範囲】
【請求項１】
液透過性のトップシートと、液不透過性のバックシートと、両シート間に介在された液保持性の吸収体とを具備してなり、背側部の左右両側縁部に機械的ファスナーの凸部材を有するおむつ止着用のファスニングテープが配されている展開型の使い捨ておむつにおいて、
上記ファスニングテープは、基端部が上記背側部の左右両側縁部に固着されているテープ本体と、該テープ本体に固着された上記凸部材とからなり、
上記凸部材は、上記基端部側のみが上記テープ本体に固着されて、該テープ本体と固着されている固着域を上記基端部側において形成すると共に、該テープ本体と固着されていない非固着域を該テープ本体の先端部側において形成しており、
上記凸部材は、上記非固着域において、上記テープ本体の上記先端部側の部分に仮止め材を介して剥離自在に粘着されている、
ことを特徴とする使い捨ておむつ。
【発明の詳細な説明】
【０００１】
【発明の属する技術分野】
本発明は、機械的ファスナーを有するおむつ止着用のファスニングテープを具備する展開型の使い捨ておむつに関し、更に詳しくは、着用者の誤操作などでファスニングテープが外れることがない、ファスニングテープの締結力に優れた使い捨ておむつに関する。
【０００２】
【従来の技術及び発明の解決しようとする課題】
従来より、液透過性のトップシートと、液不透過性のバックシートと、両シート間に介在された液保持性の吸収体とを具備してなり、背側部の左右両側縁部におむつ止着用のファスニングテープが配されており、該ファスニングテープが機械的ファスナーの凸部材を用いて形成されている展開型の使い捨ておむつは、広く用いられている。
そして、従来の機械的ファスナーの凸部材を用いて形成されているファスニングテープは、その一面全面に凸部材を固着して形成されていた。
【０００３】
しかし、このような従来のファスニングテープは幼児等の装着者の弱い力によっても外れるものであったため、着用者の誤操作やいたずらによってファスニングテープが外れてしまい、おむつが緩んだり外れたりして排泄物が漏れてしまうという問題があった。
また、かかる問題があることにより、母親などの着用者に付き添う者において、着用時にファスニングテープが外れていないか否かを頻繁に確認する必要が生じ、安心感に乏しいという問題もあった。
【０００４】
従って、本発明の目的は、ファスニングテープとして機械的ファスナーを有する使い捨ておむつにおいて、該ファスニングテープが締結力に優れ、着用者の誤操作やいたずらによっては容易に外れることがない使い捨ておむつを提供することにある。
【０００５】
【課題を解決するための手段】
本発明者らは、上記課題を解消すべく鋭意検討した結果、上記凸部材の一部を上記テープ本体に固着させて形成されたファスニングテープを具備してなる使い捨ておむつが上記目的を達成しうることを知見した。
【０００６】
本発明は、上記知見に基づいてなされたもので、液透過性のトップシートと、液不透過性のバックシートと、両シート間に介在された液保持性の吸収体とを具備してなり、背側部の左右両側縁部に機械的ファスナーの凸部材を有するおむつ止着用のファスニングテープが配されている展開型の使い捨ておむつにおいて、上記ファスニングテープは、基端部が上記背側部の左右両側縁部に固着されているテープ本体と、該テープ本体に固着された上記凸部材とからなり、上記凸部材は、上記基端部側のみが上記テープ本体に固着されて、該テープ本体と固着されている固着域を上記基端部側において形成すると共に、該テープ本体と固着されていない非固着域を該テープ本体の先端部側において形成しており、上記凸部材は、上記非固着域において、上記テープ本体の上記先端部側の部分に仮止め材を介して剥離自在に粘着されている、ことを特徴とする使い捨ておむつを提供するものである。
【０００７】
【発明の実施の形態】
以下、本発明の使い捨ておむつの一実施形態について図面を参照して詳細に説明する。
説明の便宜上、先ず、本発明の実施形態ではない参考形態の使い捨ておむつ１（以下、本形態の使い捨ておむつともいう）について図１〜図３を参照して説明する。
ここで、図１は、参考形態の使い捨ておむつ１を示す平面図であり、図２は、図１に示す形態におけるファスニングテープを示す拡大側面図であり、図３は、図１に示す形態におけるファスニングテープの使用態様を示す拡大斜視図である。また、図４は、本発明の一実施形態の使い捨ておむつにおいて用いられるファスニングテープを示す拡大側面図である。
【０００８】
図１に示す使い捨ておむつ１は、液透過性のトップシート２と、液不透過性のバックシート３と、両シート間に介在された液保持性の吸収体４とを具備してなり、背側部Ｂの左右両側縁部Ｂ１、Ｂ２に機械的ファスナーの凸部材１１を有するおむつ止着用のファスニングテープ１０が配されている展開型の使い捨ておむつである。
【０００９】
更に詳細に説明すると、本形態の使い捨ておむつは、図１に示すように、吸収体４が股下領域が縊れた砂時計状に湾曲形成され、トップシート２及びバックシート３も吸収体４の形状に即して股下領域が上述の如く湾曲形成されており、該吸収体４は、トップシート２及びバックシート３により挟持・固定されている。また、上記吸収体４の周縁部におけるウエスト部５とレッグ部６とには、おむつを着用した際に、着用者にウエスト部５とレッグ部６とをフィットさせるための弾性伸縮部材７がトップシート２とバックシート３とにより固定されて設けられている。
このような構成は、従来の展開型の使い捨ておむつと同じである。
【００１０】
また、上記ファスニングテープ１０は、それぞれ、バックシート３側に貼着されており、非使用時においては、機械的ファスナーの凸部材１１が、上記トップシート２と剥離自在に締結されている。また、おむつの腹側部Ａの上記バックシート３上には、該ファスニングテープ１０を剥離自在に締結させるためのランディングテープ８が設けられている。
【００１１】
次に、上記使い捨ておむつ１を構成する各部材の形成材料について説明する。上記トップシート２としては、排泄物を吸収体へ透過させる液透過性シートで肌着に近い感触を有したものが好ましく、このような液透過性シートとしては、例えば、織布、不織布、多孔性フィルム等が好ましく挙げられる。また、トップシート２の周縁にシリコン系油剤、パラフィンワックス等の疎水性化合物を塗布する方法や、予めアルキルリン酸エステルのような親水性化合物を全体に塗布し、周縁を温水で洗浄する方法により、撥水処理を施し、周縁における尿等の滲みによる漏れを防止することができる。
【００１２】
また、上記バックシート３としては、熱可塑性樹脂にフィラーを加えて延伸した液不透過性かつ蒸気透過性のフィルムシート、または繊維集合体が用いられる。
【００１３】
また、上記吸収体４としては、解繊パルプを主材とした高分子吸水ポリマーを併用したものが好ましい。該高分子吸水ポリマーは、上記吸収体４の上層、中層、下層のいずれに存在させてもよく、また、パルプと混合したものであってもよい。また、該高分子吸水ポリマーは自重の２０倍以上の液体を吸収して保持し得る保持性能を有し、ゲル化する性質を有する粒子状のものが好ましく、このような高分子吸水ポリマーとしては、例えば、デンプン−アクリル酸（塩）グラフト共重合体、デンプン−アクリロニトリル共重合体のケン化物、ナトリウムカルボキシメチルセルロースの架橋物、アクリル酸（塩）重合体などが好ましく挙げられる。
【００１４】
また、上記弾性伸縮部材７としては、糸ゴム、平ゴム、フィルムタイプの弾性材あるいはフィルム状の発泡ポリウレタン等が好ましく挙げられ、５０％伸長時の応力が４０〜１５０グラムのものが好ましい。
【００１５】
上記ファスニングテープ１０を構成する機械的ファスナーの凸部材１１としては、「マジックテープ」（登録商標、ベルクロ社製）、「クイックロン」（登録商標、ＹＫＫ社製）、「マジクロス」（登録商標、カネボウベルタッチ社製）等、鍵状やキノコ形状などの凸状の係合部材１１ａ（図２参照）が多数付設されてなるシート等の公知の（市販の）メカニカルホックテープの凸部材を特に制限なく用いることができる。
また、上記ランディングテープ８は、機械的ファスナーの凹部材からなっており、該凹部材としては、不織布等の繊維シートの他、トリコット編物生地、たとえばフロント糸５０デニール、１８フィラメントバック糸２０デニール、１フィラメントの構成糸を用いて、フロント３針飛びで編んだ２６ゲージ／インチの編物等が用いられる。
【００１６】
本形態の使い捨ておむつ１においては、図１及び図２に示すように、上記ファスニングテープ１０は、基端部１２ａが上記背側部Ｂの左右両側縁部Ｂ１、Ｂ２に固着されているテープ本体１２と、該テープ本体１２に固着された上記凸部材１１とからなり、上記凸部材１１は、上記基端部１２ａ側のみが上記テープ本体１２に固着されて、該テープ本体１２と固着されている固着域１４を上記基端部１２ａ側において形成すると共に、該テープ本体１２と固着されていない非固着域１５を該テープ本体１２の先端部１２ｂ側において形成している。
【００１７】
更に詳述すると、上記凸部材１１は、長方形状であり、上記テープ本体１２の一面１２ｃ側（トップシート２側）において、接着剤を介して該テープ本体１２に固着されている。この際用いられる接着剤としては、上記凸部材の接着に通常用いられるものであれば特に制限なく用いられる。
また、上記凸部材１１は、長方形状に固着されている。即ち、上記固着域１４及び非固着域１５は、何れもファスニングテープ１０の巾方向を長手方向とする長方形状になされている。
ここで、上記凸部材１１の長さＬは、非固着部分がない場合の凸部材とランディングテープ８とのＴ剥離力が３０ｇ以上になるように設定するのが好ましく、上記固着域１４の巾Ｘと非固着域１５の巾Ｙとの比Ｘ／Ｙは、該巾Ｙが０．３ｃｍ以上であれば係合力を自由に調整する目的で任意の比率とすることができる。上記Ｔ剥離力が３０ｇ未満になると、ランディングテープ８との係合力が不足する場合が発生するので好ましくない。
また、上記巾Ｙ巾が０．３ｃｍ未満であると、摘み部１３を引っ張っても境１６に剪断力が働きにくくなり、係合力の調整ができなくなるので好ましくない。
【００１８】
また、上記テープ本体１２の形成材料は特に制限されず、通常おむつのファスニングテープとして用いられるものであれば特に制限なく用いられる。
【００１９】
また、上記テープ本体１２の先端部１２ｂは、上記一面１２ｃ側に向けて折り返されて且つこの折り返された状態で固定されて、摘み部１３を形成している。
【００２０】
本形態の使い捨ておむつ１は、通常の展開型の使い捨ておむつと同様に使用することができる。そして、上記ファスニングテープ１０は、上記摘み部１３を持って外そうとすると、図３に示すように、上記固着域１４と上記非固着域１５との境１６に引張力（図３の矢印Ｄ１方向の力）がかかるため、該固着域１４と該非固着域１５とにはそれぞれ矢印Ｄ３、Ｄ２方向の力が働く。このため、該固着域１４と該非固着域１５とにおける境１６近傍において高い剪断力がかかり、その結果として、該ファスニングテープ１０は、乳幼児の誤操作やいたずら程度の力では外しにくくなっている。
尚、スムーズに引き剥がすためには、上記凸部材１１の先端部１２ｂ側端部１１ｂをもって引き剥がすことにより、通常の凸部材１１の引き剥がしに要する力と同程度の力でスムーズに引き剥がすことができる。
【００２１】
また、本形態の使い捨ておむつ１は、常法に従って、図２に示す形態で上記凸部材１１を上記テープ本体１２に固着させて形成したファスニングテープ１０を用い、通常の使い捨ておむつと同様にして製造することができる。
【００２２】
次いで、本発明の一実施形態としての使い捨ておむつについて、図４を参照して説明する。本実施形態の使い捨ておむつについては、図４を参照して、本実施形態の使い捨ておむつにおいて用いられるファスニングテープ１０Ａについて説明する。尚、ここでは、特に上記の図１〜３に示す形態と異なる点について説明する。特に詳述しない点については上述した図１〜３に示す形態の説明においてした説明が適宜適用される。
【００２３】
図４に示す形態のファスニングテープ１０Ａは、上記テープ本体１２Ａは、その先端部１２ｂＡにおいて基端部１２ａＡ側に且つ一面１２ｃＡ側に向けて折り曲げられており、更に固着域１４Ａと非固着域１５Ａとの境１６Ａの近傍において、先端部１２ｂＡ側に且つ一面１２ｃＡ側に向けて折り曲げられている。そして、凸部材１１Ａは、先端部１２ｂＡ側の端部１１ｂＡにおいて、折り曲げられたテープ本体１２Ａと、仮止め材１７Ａを介して剥離自在に粘着されている。このように構成されていることにより、上記の図１〜３に示す形態の使い捨ておむつが奏する効果と同じ効果に加えて、更に装着がより容易になるという効果をも奏する。この際用いることができる上記仮止め材１７Ａとしては、上記テープ本体１２Ａと上記凸部材１１Ａとを剥離自在に粘着するものであれば特に制限なく用いることができるが、具体的には、ゴム系粘着剤、アクリル系粘着剤、あるいはこれらの粘着剤を塗布した両面テープ等が挙げられる。本形態において示すように、本発明における「固着されていない非固着域」は、剥離自在に粘着されている。
【００２４】
図５〜８は、ファスニングテープの他の例を示すものである。
図５に示すファスニングテープ１０Ｂは、凸部材１１Ｂが部分的に固着されてテープ本体１２Ｂに固着されている。この際の部分的に固着するパターンとしては、ドットや波状のパターン等が挙げられる。
【００２５】
図６に示すファスニングテープ１０Ｃは、非固着域１５Ｃがテープ本体１２の先端部１２ｂＢの先端から延出するようになされており、摘み部１３が非固着域１５Ｃ上に位置するようになされている。
【００２６】
図７に示すファスニングテープ１０Ｄは、テープ本体が先端側テープ本体１２Ｄと基端側テープ本体１２Ｄ’とにより構成されている。このようにテープ本体は、必ずしも連続である必要はなく、２以上の部材により構成されていても良い。
【００２７】
図８に示すファスニングテープ１０Ｅは、テープ本体が先端側テープ本体１２Ｅと基端側テープ本体１２Ｅ’とにより構成されている。そして、基端側テープ本体１２Ｅ’は、凸部材１１Ｅの基端部側に連結されている。
【００２８】
尚、本発明の使い捨ておむつは、上述の形態には制限されず、本発明の趣旨を逸脱しない範囲で種々変更が可能である。
例えば、上記摘み部１３には、色づけやエンボス等を施して、目印として区別できるようにしてもよい。
【００２９】
【発明の効果】
本発明の使い捨ておむつは、ファスニングテープとして機械的ファスナーを有する使い捨ておむつにおいて、該ファスニングテープが締結力に優れ、着用者の誤操作やいたずらによっては容易に外れることがないものである。
更に詳述すると、本発明の使い捨ておむつは、乳幼児などの力によっては、ファスニングテープが容易に外れることがないため、おむつが緩んだり外れたりして漏れることがなく、更には、おむつの装着状態を確認する必要がないので、母親などの付き添う者の安心感も高いものである。
【図面の簡単な説明】
【図１】図１は、参考形態の使い捨ておむつを示す平面図である。
【図２】図２は、図１に示す形態におけるファスニングテープを模式的に示す拡大側面図である。
【図３】図３は、図１に形態におけるファスニングテープの使用態様を模式的に示す拡大斜視図である。
【図４】図４は、本発明の使い捨ておむつにおいて用いられるファスニングテープを模式的に示す拡大側面図である。
【図５】図５は、ファスニングテープの他の形態を模式的に示す拡大側面図である。
【図６】図６は、ファスニングテープの他の形態を模式的に示す拡大側面図である。
【図７】図７は、ファスニングテープの他の形態を模式的に示す拡大側面図である。
【図８】図８は、ファスニングテープの他の形態を模式的に示す拡大側面図である。
【符号の説明】
１  使い捨ておむつ
２  トップシート
３  バックシート
４  吸収体
５  ウエスト部
６  レッグ部
７  弾性伸縮部材
８  ランディングテープ
１０  ファスニングテープ
１１  凸部材
１１ａ  係合部材
１２  テープ本体
１２ａ  基端部
１２ｂ  先端部
１２ｃ  一面
１３  摘み部
１４  固着域
１５  非固着域
１７Ａ  仮止め材
Ａ  腹側部
Ｂ  背側部
【図１】
0003611679.tif 000002
【図２】
0003611679.tif 000003
【図３】
0003611679.tif 000004
【図４】
0003611679.tif 000005
【図５】
0003611679.tif 000006
【図６】
0003611679.tif 000007
【図７】
0003611679.tif 000008
【図８】
0003611679.tif 000009